(57)【要約】【課題】ケース内のワイヤハーネスの有害な屈曲や弛みを防止し、且つケースを長手方向にコンパクト化する。【解決手段】ケース２の一側方で長手方向中間部にワイヤハーネス６の固定側の部分３，５１を配置し、ケースの他側方に沿ってワイヤハーネスの可動側の部分５，５２を移動自在に配置し、固定側の部分から導出された一端側のワイヤハーネス部分４３をケース長手方向に向け、可動側の部分から導出された他端側のワイヤハーネス部分４４をケース短手方向に向けた給電装置１，１’を採用する。ワイヤハーネス６の外周にコルゲートチューブ１５を装着した。【選択図】図１
2006311767.tif 000002
【特許請求の範囲】
【請求項１】
ケースの一側方で長手方向中間部にワイヤハーネスの固定側の部分が配置され、該ケースの他側方に沿って該ワイヤハーネスの可動側の部分が移動自在に配置され、該固定側の部分から該ケース内に導入された一端側のワイヤハーネス部分がケース長手方向を向き、該可動側の部分から該ケース内に導入された他端側のワイヤハーネス部分がケース短手方向を向いて配置されたことを特徴とする給電装置。
【請求項２】
前記可動側の部分の始端位置で、前記他端側のワイヤハーネス部分が小径な屈曲部に続き、該屈曲部が真直部と逆向きの屈曲部とを経て前記一端側のワイヤハーネス部分に続き、該可動側の部分の終端位置で、該他端側のワイヤハーネス部分が該小径な屈曲部とは逆向きな大径な屈曲部を経て該一端側のワイヤハーネス部分に続くことを特徴とする請求項１記載の給電装置。
【請求項３】
前記ワイヤハーネスが外周にコルゲートチューブを有したことを特徴とする請求項１又は２記載の給電装置。
【発明の詳細な説明】
【技術分野】
【０００１】
本発明は、ケース内にワイヤハーネスを屈曲させて収容し、ケースに沿ってワイヤハーネスの可動側の部分を移動させつつワイヤハーネスを伸縮させる給電装置に関するものである。
【背景技術】
【０００２】
図６（ａ）（ｂ）は従来の給電装置の一形態を示すものである（特許文献１参照）。
【０００３】
この給電装置７１は、合成樹脂製の横長のケース７２内にフラットワイヤハーネス７３を略Ｕ字ないしＪ字状に屈曲させて収容し、フラットワイヤハーネス７３の一端側のコネクタ７４をケース７２の一端側の壁部に固定し、フラットワイヤハーネス７３の他端側のコネクタ７５をスライダ７６に上向きに固定し、スライダ７６をケース７２のレール部に長手方向スライド自在に係合させたものである。
【０００４】
この給電装置７１は例えば自動車のスライドシートに適用され、ケース７２が車体のフロアに配置され、固定側のコネクタ７４が電源側のワイヤハーネスに接続され、可動側のコネクタ７５がシート側のワイヤハーネスに接続される。シート側のワイヤハーネスは例えば自動スライドモータやリクライニングモータや着座センサ等の補機に接続される。
【０００５】
そして、シートを例えば前進させた際に、図６（ａ）のように可動側のコネクタ７５がシートと一体に前進しつつ、フラットワイヤハーネス７３が左右に大きくラップして短縮され、シートを後退させた際に、図６（ｂ）のように可動側のコネクタ７５がシートと一体に後退しつつ、フラットワイヤハーネス７３が左右に小さくラップして伸長される。上記給電装置７１はシートに限らず、自動車のスライドドア等にも適用可能なものである。
【特許文献１】特開平１０−１１２９２２号公報（第４頁，図１２）
【発明の開示】
【発明が解決しようとする課題】
【０００６】
しかしながら、上記従来の給電装置にあっては、特にフラットワイヤハーネス７３に代えて通常の丸形電線でなるワイヤハーネスを用いた場合に、電線自体の弾性（復元性）が弱いために、ケース内でワイヤハーネスが不規則に屈曲したり弛んだりして、ワイヤハーネスの伸縮がスムーズに行われなくなったり、ワイヤハーネスが極めて小径に屈曲して傷みやすくなったり、ワイヤハーネスの弛み部分がケースと干渉して異音等を生じやすくなるという懸念があった。ここでワイヤハーネスとは、複数本の電線をテープ等で結束した状態のものや、複数本の電線を合成樹脂製の保護チューブ内に収容した状態のもの等を言う。
【０００７】
また、図７に略図化した形態を示すように、固定側のコネクタ８２を支点としてワイヤハーネス７７が実線の如く最伸長した際に、ワイヤハーネス７７の折り返し部７８が可動側のコネクタ７９よりもケース長手方向に湾曲状に突出するために、コネクタ７９のスライドストローク量Ｌにハーネス折り返し部７８のなす余剰寸法Ｌ1を加味した長さにケース８０の全長を設定する必要が生じ、給電装置８１が長手方向に肥大化するという問題があった。
【０００８】
本発明は、上記した点に鑑み、ワイヤハーネスをケース内で不規則に（有害に）屈曲させたり弛ませたりすることがなく、それによってワイヤハーネスの傷みや異音等を防止することができ、しかもケースを長手方向にコンパクト化することができる給電装置を提供することを目的とする。
【課題を解決するための手段】
【０００９】
上記目的を達成するために、本発明の請求項１に係る給電装置は、ケースの一側方で長手方向中間部にワイヤハーネスの固定側の部分が配置され、該ケースの他側方に沿って該ワイヤハーネスの可動側の部分が移動自在に配置され、該固定側の部分から該ケース内に導入された一端側のワイヤハーネス部分がケース長手方向を向き、該可動側の部分から該ケース内に導入された他端側のワイヤハーネス部分がケース短手方向を向いて配置されたことを特徴とする。
【００１０】
上記構成により、ワイヤハーネスの可動側の部分の移動に伴って、固定側の部分を支点としてケース内でワイヤハーネスが揺動しつつ、可動側の部分に続く他端側のワイヤハーネス部分がケース短手方向を向いた状態でケース長手方向にほぼ平行移動する。他端側のワイヤハーネス部分とは可動側の部分の近傍のワイヤハーネス部分である。他端側のワイヤハーネス部分がほぼ一定の方向（ケース短手方向）を向いたまま、他端側のワイヤハーネス部分に続く残りのワイヤハーネス部分はケース内で略Ｊ字状から略Ｕ字状を経て滑らかな略Ｌ字状に屈曲しつつ伸縮する。ワイヤハーネスは略Ｕ字状の形態で縮み、略Ｊ字状と略Ｌ字状の形態で伸びた状態となる。可動側の部分の移動に伴って他端側のワイヤハーネス部分の導出方向（ケース短手方向）が変わらないから、可動側の部分の近傍で他端側のワイヤハーネス部分が有害な（小径に折れ曲がるような）屈曲をすることがないと共に、他端側のワイヤハーネス部分に続く略Ｊ字状の形態部分が強い復元力を発揮して、略Ｕ字状から略Ｌ字状にワイヤハーネス形状を弾性的に復元させて、弛みの発生を防止する。この復元力は、固定側の部分から導入された一端側のワイヤハーネス部分がケース長手方向を向いていることによっても助長される。また、固定側の部分がケースの長手方向中間部に配置され、一端側のワイヤハーネス部分がケース長手方向を向いていることで、ワイヤハーネスが略Ｊ字状に屈曲した際に、一端側のワイヤハーネス部分に続く屈曲部（折り返し部）がケースの外側ではなく内側を向くから、ケース内のスペースが有効活用される。可動側の部分としては、可動側のコネクタや、ワイヤハーネス部分（電線束や保護チューブ）の外周に固定されたスライダや、ワイヤハーネス部分自体が挙げられる。固定側の部分としては、固定側のコネクタや、ワイヤハーネス部分を固定する固定部材等が挙げられる。
【００１１】
請求項２に係る給電装置は、請求項１記載の給電装置において、前記可動側の部分の始端位置で、前記他端側のワイヤハーネス部分が小径な屈曲部に続き、該屈曲部が真直部と逆向きの屈曲部とを経て前記一端側のワイヤハーネス部分に続き、該可動側の部分の終端位置で、該他端側のワイヤハーネス部分が該小径な屈曲部とは逆向きな大径な屈曲部を経て該一端側のワイヤハーネス部分に続くことを特徴とする。
【００１２】
上記構成により、可動側の部分の始端から終端への移動に伴って、ワイヤハーネスが小径な屈曲部と逆向きの屈曲部とで強い復元力を発揮し、略Ｊ字状から滑らかな略Ｌ字状に確実に復元する。また、可動側の部分の終端から始端への移動に伴って、ワイヤハーネスが略Ｌ字状から略Ｊ字状に屈曲した際に、ワイヤハーネスが強い弾性力（復元力）を存してピンと張った状態になるから、ワイヤハーネスの有害な弛みや有害な小径の屈曲が防止される。
【００１３】
請求項３に係る給電装置は、請求項１又は２記載の給電装置において、前記ワイヤハーネスが外周にコルゲートチューブを有したことを特徴とする。
【００１４】
上記構成により、合成樹脂製のコルゲートチューブがワイヤハーネスに屈曲性と共に強い弾性力（復元力）を付与し、ワイヤハーネスの略Ｊ字状の形態における弛みや折れ曲がるような小径の屈曲や、略Ｌ字状の形態における弛みを確実に阻止する。コルゲートチューブは周方向の凹溝と凸条とをチューブ長手方向に交互に配列した既存のものである。
【発明の効果】
【００１５】
請求項１記載の発明によれば、ワイヤハーネスの固定側の部分を可動側の部分の可動範囲に対して中間部に配置し、固定側の部分と可動側の部分とに続く各ワイヤハーネス部分をケース内で直交する方向に導出させたことで、ケース内でワイヤハーネスに強い復元力が付与され、それによってワイヤハーネスの弛みが防止され、弛みに起因する振動や異音や摩耗等が防止されると共に、ワイヤハーネスの折れ曲がるような有害な屈曲が防止され、折れ曲がりに起因するワイヤハーネスの傷みや屈曲耐久性の低下が防止されて、給電の信頼性が向上し、しかも、ケース内でワイヤハーネスの折り返し部が従来のように外側に向かずに内側に向くことで、ケースが長手方向にコンパクト化され、給電装置を搭載する車両等の搭載スペースが削減される。
【００１６】
請求項２記載の発明によれば、可動側の部分の進退移動に伴ってワイヤハーネスが強い弾性力を有した状態で屈曲するから、ワイヤハーネスの弛みや折れ曲がりが防止され、それらに起因する振動や異音や摩耗や屈曲耐久性の低下が確実に防止される。また、ワイヤハーネスの逆向きの屈曲部がケースの外側ではなく内側を向くから、ケースの長手方向のコンパクト化が確実に達成される。
【００１７】
請求項３記載の発明によれば、コルゲートチューブがワイヤハーネスに強い弾性力（復元力）を付与することで、ワイヤハーネスの弛みや折れ曲がるような屈曲が一層確実に防止され、ワイヤハーネスの傷み・異音等の防止や屈曲耐久性の向上等が促進され、給電の信頼性が一層向上する。
【発明を実施するための最良の形態】
【００１８】
図１〜図３は、本発明に係る給電装置の一実施形態を示すものである。
【００１９】
図１（概要図）の如く、この給電装置１は、合成樹脂製のケース２の一側方の長手方向中間部にワイヤハーネス６の固定側のコネクタ３（固定側の部分）、ケース２の他側方の長辺部２３に沿ってワイヤハーネス６の可動側のコネクタ５（可動側の部分）をそれぞれ有し、可動側のコネクタ５がケース２の長手方向の一端と他端との間をスライド移動して、固定側のコネクタを支点としてケース内でワイヤハーネス６を屈曲させつつ揺動させるものである。
【００２０】
固定側のコネクタ３は可動側のコネクタ５のスライド領域の中間部においてケース２の長手方向を向き、固定側のコネクタ５はケース２の短手方向（幅方向）を向き、ケース内で固定側のコネクタ５から導出されたワイヤハーネス部分４３がケース２の長手方向を向き、可動側のコネクタ５から導出されたワイヤハーネス部分４４がケース２の短手方向を向いている。
【００２１】
図２において、符号１２は上ケース、１３は下ケース、６はワイヤハーネスをそれぞれ示している。上下のケース１２，１３は合成樹脂材で形成され、接合した状態で係止突起と係止枠片等の係止手段（図示せず）や接着や溶着等の手段で相互に固定されて一つのケース（プロテクタ）２（図３）を構成する。ワイヤハーネス６は、複数本の丸形被覆電線を合成樹脂製の保護チューブであるコルゲートチューブ１５で覆い、電線１４の両端末にそれぞれコネクタ３，５を配設して構成されている。
【００２２】
各コネクタ３，５は、合成樹脂製のコネクタハウジング（符号３，５で代用）と、コネクタハウジングに収容された端子（図示せず）とで構成され、端子は電線１４に圧着等の手段で接続されている。本例で各コネクタ３，５は雌端子を収容する端子収容室とそれに続く相手端子挿入口１６を有している。固定側のコネクタ３と可動側のコネクタ５とはそれぞれ接続面１７が直交する方向を向いている。両コネクタ３，５あるいは何れか一方のコネクタに雄端子を収容し、相手コネクタに対するコネクタ嵌合室を有するものとすることも可能である。
【００２３】
コルゲートチューブ１５は周方向の環状の凹溝２０と凸条２１とをチューブ長手方向に交互に配設して、屈曲性と弾性（復元性）とを付加した既存のものであり、本例のコルゲートチューブ１５はケースの長手及び短手方向の屈曲性を高めるべく断面平型ないし長円形に形成されている。コルゲートチューブ１５の一端部が可動側のコネクタ５又は可動側のコネクタ５からの導出電線部分に嵌合やテープ巻きやバンド結束等の手段で固定されていることが好ましい。これはコルゲートチューブ１５の他端部と固定側のコネクタ３とについても同様である。
【００２４】
なお、断面長円形のコルゲートチューブ１５に代えて断面円形のコルゲートチューブ（図示せず）を用いることも可能である。また、保護チューブとして、コルゲートチューブ１５に代えてウレタン等の柔軟なチューブやビニルチューブや編組チューブ等（図示せず）を用いることも可能である。
【００２５】
上下のケース１２，１３の長辺側の垂直な壁部２３に開口部２４が設けられ、開口部２４の全周には鍔部２８が形成されており、図３の如く鍔部２８に可動側のコネクタ５の外周の溝部２９がスライド自在に係合する。鍔部２８はレール部の作用をし、溝部２９はガイド部の作用をする。
【００２６】
図２の如く下ケース１３は上ケース１２よりも深く（上下方向の寸法が大きく）形成されており、下ケース内にワイヤハーネス６を組み付けた後、上ケース１２を被せるようになっている。上下のケース１２，１３は長手方向の一方の幅狭部３０と他方の幅広部３１とで成り、幅狭部３０の開口部２４に対向する壁部３２に直交して幅広部３１の壁部３３にコネクタ固定用の開口３４が設けられ、開口３４の周囲の鍔部３５に固定側のコネクタ３の外周の溝部３６が係合する。図３の組立状態で、固定側のコネクタ３の接続面１７はケース２の長手方向を向き、可動側のコネクタ５の接続面１７はケース２の短手方向を向き、両コネクタ３，５は直交する方向を向いている。
【００２７】
なお、明細書中における「上下」等の方向性はあくまでも給電装置１を水平に横置きした場合のものであり、例えば給電装置１を垂直に縦置きした場合には、「上下」は「左右」又は「前後」となる。
【００２８】
図２において、ワイヤハーネス６を下ケース内に組み付ける際に、可動側のコネクタ５は開口部２４の鍔部２８にスライド自在に係合してコネクタ前半部が開口部２４から外部に突出し、固定側のコネクタ３は他方の開口３４に固定される。この状態で上ケース１２が被着されて、上下のケース内にワイヤハーネス６が屈曲した状態で収容され、且つ両コネクタ３，５の溝部２９，３６が上ケース１２の鍔部２８，３５にそれぞれ係合する。
【００２９】
図１の如く、ケース２内で可動側のコネクタ５から導出されたワイヤハーネス部分４４は、ケース２の左端側の幅狭部３０内に位置し、幅狭部３０とその延長上をケース長手方向にほぼ真直な形態のままで（ケース１の短手方向にほぼ真直に導出された形態で）移動する。可動コネクタ側のワイヤハーネス部分４４に続くワイヤハーネス部分３９，３８，（４２）はケースの幅狭部３０内でケース長手方向に真直に位置したり、幅広部内で円弧状や湾曲状に屈曲して位置する。
【００３０】
図３の如く、給電装置１の組立状態で、可動側のコネクタ５はケース２の長形の開口部２４に沿って直線的にスライド自在であり、可動側のコネクタ５のスライド動作に伴って、図１の如くケース内でワイヤハーネス６が実線のように略Ｊ字状から鎖線のように滑らかな略Ｌ字状に屈曲しつつ伸縮する。
【００３１】
略Ｊ字状とは、ケース２の幅広部３１内で固定側のコネクタ３から略半円状に折り返された部分３８と、折り返し部（屈曲部）３８に続いてケース２の幅狭部３０内でケース長手方向にほぼ平行に延びた真直部３９と、幅狭部３０内で真直部３９から可動側のコネクタ５に向けて９０゜方向に円弧状に屈曲した屈曲部１１とで構成され、二つの屈曲部１１，３８が互いに逆向きに屈曲した形態である。１／４円弧状の屈曲部１１は可動側のコネクタ５の近傍のワイヤハーネス部分４４を含んでいる。
【００３２】
また、略Ｌ字状とは、ケース２の幅広部３１内で固定側のコネクタ３からケース２の垂直な壁部４０（図２）に沿って平行に延びる真直部４１と、真直部４１から可動側のコネクタ５に向けて９０゜方向に円弧状に屈曲した大径の屈曲部４２とで構成され、屈曲部４２が一つのみの形態である。屈曲部４２は可動側のコネクタ５の近傍のワイヤハーネス部分４４を含んでいる。
【００３３】
図３の如く可動側のコネクタ５はケース２の開口部２４の鍔部２８に沿ってスライド自在に係合し、図１の如く，可動側のコネクタ５に続くワイヤハーネス部分４４が全てのスライド領域においてケース２の開口部２４側の空間をケース短手方向に横断し、ワイヤハーネス部分４４に続く大半のワイヤハーネス部分（符号３９，３８又は４２，４１の部分）がスライド領域に応じて略Ｊ字ないしＵ字状ないしＬ字状に折り返されて固定側のコネクタ３に続いている。ワイヤハーネス６の略Ｊ字状の屈曲は可動側のコネクタ５の左端（始端）位置におけるもので、略Ｕ字状の屈曲はコネクタ５の中間位置におけるもので、略Ｌ字状の屈曲はコネクタ５の右端（終端）位置におけるものである。「始端」等は説明の便宜上のものであり、特に可動コネクタ５の初期位置を示すものではない。
【００３４】
図１の実線のように略Ｊ字状に屈曲した際に、ワイヤハーネス６の真直部３９がケース２の幅狭部３０の壁部３２（図２）に沿ってほぼ真直に位置し、真直部３９に続く屈曲部１１が比較的大きな半径で屈曲し、屈曲部１１におけるワイヤハーネス６の各電線の傷みが防止される。この作用効果は、ワイヤハーネス６の外周にコルゲートチューブ１５（図２）を装着することで特に顕著に発揮される。すなわち、ワイヤハーネス６が高い復元性を有することで、ワイヤハーネス６の真直部３９が弛みなく真直に位置し、真直部３９に続く屈曲部１１が比較的大きな半径で屈曲する。
【００３５】
また、可動側のコネクタ５の移動に伴って可動コネクタ側のワイヤハーネス部分４４の導出方向（ケース短手方向）が変わらないから、可動側のコネクタ５の近傍でワイヤハーネス部分４４が有害な（小径に折れ曲がるような）屈曲をすることがないと共に、ワイヤハーネス部分４４に続く略Ｊ字状の形態部分１１，３９，３８が強い復元力を発揮して、略Ｕ字状から略Ｌ字状にワイヤハーネス形状を弾性的に復元させて、弛みの発生を防止する。
【００３６】
また、可動側のコネクタ５の移動に伴ってワイヤハーネス６が略Ｊ字状から鎖線の如く略Ｌ字状に屈曲する際に、ワイヤハーネス６に矢印Ａ方向の（ケース２の幅広部３１において開口部２４とは反対側の壁部４０に向かう）復元力が作用し、ワイヤハーネス６が有害な弛みなく略Ｌ字状に屈曲する。この作用は、固定側のコネクタ３に続くワイヤハーネス部分４３をケース長手方向に導出させたことに起因するものである。この作用効果は、ワイヤハーネス６の外周にコルゲートチューブ１５（図２）を装着することで特に顕著に発揮される。
【００３７】
例えば、図４（ａ）に示す如く、ケース４５の長手方向中間部において固定側のコネクタ４６をケース長手方向ではなくケース短手方向に向けて配置した場合には、可動側のコネクタ４７のスライド動作に伴って固定側のコネクタ４６を支点にワイヤハーネス４８が揺動し、図４（ｂ）の如く可動側のコネクタ４７が固定側のコネクタ４６の対向位置にきた時に、ワイヤハーネス４８の長手方向中間部４９がケース内で小径に折れ曲がるように屈曲し、且つ両コネクタ４６，４７の近傍で導出されたワイヤハーネス部分５０が小径に屈曲するために、ワイヤハーネス４８の屈曲耐久性が低下すると共に、ワイヤハーネス４８のスムーズな伸縮動作が行われずに、可動側コネクタ４７のスライド操作性が低下するという問題を生じる。
【００３８】
これに対して、図１のように固定側のコネクタ３をケース長手方向に向けて配置することで、これらの問題が解消され、ワイヤハーネス６が大きな半径でスムーズに屈曲し、ワイヤハーネス６の屈曲耐久性が向上し、ワイヤハーネス６の伸縮動作や可動側のコネクタ５のスライド操作がスムーズに行われる。
【００３９】
また、可動側のコネクタ５が従来例（図６）のようにケース２の長手方向を向かずに、ケース２の短手方向を向いているから、相手側ワイヤハーネス（図示せず）のコネクタを可動側コネクタ５のスライド方向とは直交する方向から、何ら相手側ワイヤハーネスを屈曲させることなく、直接的に可動側のコネクタ５にスムーズに接続することができ、スライド動作における相手側ワイヤハーネスの屈曲疲労等が防止される。
【００４０】
可動側のコネクタ５をケース２の短手方向に向けた給電装置１は、例えば自動車のスライドシートやスライドドア等といったスライド構造体（図示せず）への給電に好適である。給電装置１をスライドシートに適用する場合、例えばケース２が開口部２４を上向きにして車両ボディのフロアに配置され、シート側のワイヤハーネスが上方からほぼ真直に可動側のコネクタ５にコネクタ接続されるから、シート側のワイヤハーネスがコネクタ５の近傍で小径に屈曲される心配がない。固定側のコネクタ３には車両ボディ（電源）側のワイヤハーネス（図示せず）がコネクタ接続される。
【００４１】
また、給電装置１をスライドドアに適用する場合、例えばケース２が開口部２４を横向きにして（スライドドアに向けて）車両ボディに水平に配置され、スライドドア側のワイヤハーネスが側方からほぼ真直に可動側のコネクタ５にスムーズにコネクタ接続されるから、スライドドア側のワイヤハーネスがコネクタ５の近傍で小径に屈曲する心配がない。固定側のコネクタ３には車両ボディ（電源）側のワイヤハーネスがコネクタ接続される。
【００４２】
給電装置１をスライドドアに垂直に配置する場合は、図３で可動側のコネクタ５の接続面１７の位置を上ケース１２の側に形成し、可動側のコネクタ内の端子（図示せず）をＬ字状に屈曲させ、ケース２の開口部２４を下向きに配置して、車両ボディ（電源）側のワイヤハーネスを側方からほぼ真直に可動側のコネクタ５にコネクタ接続させることができる。この場合、固定側のコネクタ３にスライドドア側のワイヤハーネスがコネクタ接続される。給電装置１の適用箇所はこれらに以外にも各種のスライド機構において適用可能である。
【００４３】
これら給電装置１の適用例において、コルゲートチューブ１５を有する復元性の高いワイヤハーネス６を用いることで、可動側のコネクタ５に続くワイヤハーネス部分１１，３９，４１，４２が弛んだり、小径に屈曲したりすることがなく、弛みに起因するワイヤハーネス部分３９，４１，４２の振動や異音や摩耗等の発生が防止され、且つワイヤハーネス部分１１にかかる曲げ応力が小さく抑えられ、ワイヤハーネス６の経時的な傷みが防止されると共に、ケース内でワイヤハーネス６が引っ掛かり等なくスムーズに伸縮して、スライド操作性が向上する。
【００４４】
また、従来例（図６）に較べて、ワイヤハーネス６の半円状の折り返し部３８がケース２の外側を向かずに内側を向いているから、ケース２内の空間３７が有効活用され、折り返し部３８の屈曲半径に起因するケース２の長手方向の肥大化が防止され、ケース２が長手方向にコンパクト化される。
【００４５】
なお、上記実施形態においては、固定側のコネクタ３の先端の接続面１６をケース長手方向に向け、可動側のコネクタ５の先端の接続面１７をケース短手方向に向けたが、例えば両コネクタ内に略Ｌ字状に屈曲した端子（図示せず）を設け、Ｌ字状の端子の基部側に電線を接続し、同端子の先端部側に相手コネクタの端子を接続させるようにし、各コネクタ３，５の接続面１７を上記接続面１７とは直交する方向に配置することも可能である。要は、コネクタ３，５から導出されたワイヤハーネス部分４３，４４の方向が、固定側のコネクタ３ではケース長手方向を向き、可動側のコネクタ５ではケース短手方向を向いていることが必要であり、コネクタ３，５の接続面１７の方向は必ずしもワイヤハーネス部分４３，４４の導出方向と一致していないてもよい。
【００４６】
また、上記実施形態においては、可動側のコネクタ５をケース２の開口部２４に直接スライド自在に係合させたが、例えば図５の実施形態の給電装置１’のように、ワイヤハーネス６の可動側の部分である合成樹脂製のスライダ５２をケース２の開口部２４にスライド自在に係合させ、スライダ５２からケース２の外側にワイヤハーネス部分５４を導出させ、このワイヤハーネス部分５４の先端に可動側のコネクタ５を配設したり、あるいはスライダ５２に可動側のコネクタ５を一体ないし別体に設けたりすることも可能である。
【００４７】
図５の実施形態において、スライダ５２はワイヤハーネス６のコルゲートチューブ１５（図２）の外周に固定されている。一例として、スライダ５２は分割式に形成され、スライダ５２の内周面には円弧状のリブが設けられ、リブがコルゲートチューブ１５の凹溝に係合し、スライダ５２の矩形状の外周面に溝部が設けられ、溝部がケース２の長形の開口部２４（図２）の上下の鍔壁２８（図２）にスライド自在に係合している。コルゲートチューブ１５を用いない場合、スライダ５２は例えば電線束の外周面や網状チューブ等といった等の保護チューブの外周面を挟持して固定される。スライダ５２の形状は矩形筒状に限られるものではなく必要に応じて適宜設定される。これは前記実施形態の可動側のコネクタ５についても同様である。
【００４８】
スライダ５２を用いない場合は、例えばコルゲートチューブ１５（図２）の凹溝を開口部２４（図２）の鍔壁２８にスライド自在に係合させたり、あるいは、ケース内のワイヤハーネス６が開口部２４から外部に飛び出さないようにワイヤハーネス６の外周面に鍔状の部材（図示しないスライダ）を設け、鍔状の部材を開口部２４の鍔壁２８の内面に当接（摺接）させたりすることが好ましい。可動側のコネクタ５と開口部２４との間の距離が短く、可動側のコネクタ５がスライドドアやスライドシート等における相手接続側のコネクタ（図示せず）と共に開口部２４に沿って平行に移動する場合には、スライダ５２を設けなくともワイヤハーネス６が開口部２４から飛び出す心配はない。この場合は開口部内のワイヤハーネス自体が可動側の部分となる。
【００４９】
図５の実施形態において、ワイヤハーネス６の固定側の部分として固定側のコネクタ３ではなく固定側のワイヤハーネス部分（固定側の部分）５１がバンドやテープ巻きやクランプ等の固定手段でケース２の狭い開口部３４（図２）に固定される。開口部３４から固定側のコネクタ３までのワイヤハーネス部分５３は車両ボディ等の相手接続側のコネクタ（図示せず）の位置に応じて適宜屈曲自在である。
【００５０】
図５において固定側の部分５１と可動側の部分５２を除く他の部分は図１の実施形態と同様であるので、同じ構成部分には同じ符号を付して詳細な説明を省略する。図５において固定側の部分として固定側のコネクタ３、可動側の部分としてスライダ５２を用いたり、あるいは固定側の部分としてワイヤハーネス部分５１，可動側の部分として可動側のコネクタ５を用いたりすることも可能である。
【図面の簡単な説明】
【００５１】
【図１】本発明に係る給電装置の一実施形態を示す概要図である。
【図２】同じく給電装置を示す分解斜視図である。
【図３】同じく給電装置の組立状態を示す斜視図である。
【図４】給電装置の固定側のコネクタの向きを変えた場合の問題点を示し、（ａ）はワイヤハーネスの伸び時、（ｂ）はワイヤハーネスの縮み時の説明図である。
【図５】本発明に係る給電装置の他の実施形態を示す概要図である。
【図６】従来の給電装置の一形態を示し、（ａ）はワイヤハーネスの縮み時、（ｂ）はワイヤハーネスの伸び時における平面視説明図である。
【図７】従来の給電装置の他の形態を示す概要図である。
【符号の説明】
【００５２】
１，１’          給電装置
２                ケース
３                固定側のコネクタ（固定側の部分）
５                可動側のコネクタ（可動側の部分）
６                ワイヤハーネス
１１，３８，４２  屈曲部
１５              コルゲートチューブ
３９              真直部
４３，４４        ワイヤハーネス部分
５１              固定側のワイヤハーネス部分（固定側の部分）
５２              スライダ（可動側の部分）
【図１】
2006311767.tif 000003
【図２】
2006311767.tif 000004
【図３】
2006311767.tif 000005
【図４】
2006311767.tif 000006
【図５】
2006311767.tif 000007
【図６】
2006311767.tif 000008
【図７】
2006311767.tif 000009